(57)【要約】  圧力損失を抑制し、集塵効率を確保し、装置の設置スペースを抑制した、集塵装置を備えた軌条車両用換気装置を提供する。軌条車両用換気装置は、前面に集塵装置１０３、内部に外気を吸引する給気用送風機５１０を備える。換気装置１０１に併設された集塵装置１０３は、少なくとも正面を向いた金網２００と、吸込口を備えた概円筒からなる複数のサイクロン筒体３００と、上部にサイクロン筒体３００から通風される風路と、下部にサイクロン筒体３００から集塵される集塵箱２２０とから構成され、前記サイクロン筒体３００の吸込口から吸気した外気からの塵埃を集塵箱２２０で集塵して定期的に車外に塵埃を排出することができる。
2020184010.tif 000002
【特許請求の範囲】
【請求項１】
車両の空気を入れ替える換気装置と、前記換気装置に併設される集塵装置と、を有する軌条車両用換気装置であって、
前記集塵装置は、筺体と、前記筺体の内部に備えられるサイクロン筒体と、を有しており、
前記換気装置は、前記サイクロン筒体を通過した車外の新鮮空気を前記車両に供給する給気用送風機を有しており、
前記筺体は、前記サイクロン筒体に取り込まれる新鮮空気が通過する金網と、前記金網に接続する背板と、を有しており、
前記集塵装置は、前記背板が前記換気装置の内部に位置するように前記換気装置に接続されること、
を特徴とする軌条車両用換気装置。
【請求項２】
請求項１に記載される軌条車両用換気装置において、
前記換気装置は、前記給気用送風機の上流側に給気用送風機前室を有しており、
前記背板が前記給気用送風機前室の壁の一部を構成すること、
を特徴とする軌条車両用換気装置。
【請求項３】
請求項１に記載される軌条車両用換気装置において、
前記集塵装置は、前記サイクロン筒体の下方に、前記サイクロン筒体が集塵した異物を蓄える集塵箱を有しており、
前記集塵箱は、前記サイクロン筒体の本数に応じた数の区画を有すること、
を特徴とする軌条車両用換気装置。
【請求項４】
請求項３に記載される軌条車両用換気装置において、
前記集塵箱は、前記換気装置に固定された前記集塵装置から分離できること、
を特徴とする軌条車両用換気装置。
【請求項５】
請求項１に記載される軌条車両用換気装置において、
前記筺体は、その垂直側面４面のうち３面に金網を有するとともに、残りの１面に前記背板を有する直方体であり、
前記サイクロン筒体と、前記サイクロン筒体の上端部を固定する上板と、前記サイクロン筒体の下端部を固定する下板とで、サイクロンユニットを構成しており、
前記サイクロンユニットの高さ寸法および幅寸法は、前記背板に対向配置される前記金網の高さ寸法および幅寸法より小さく設定されていること、
を特徴とする軌条車両用換気装置。
【請求項６】
請求項３〜５のいずれか１項に記載される軌条車両用換気装置において、
仕切り板によって仕切られている区画を備えた集塵箱を有すること、
を特徴とする軌条車両用換気装置。
【請求項７】
請求項１〜６のいずれか１項に記載される軌条車両用換気装置において、
複数の前記サイクロン筒体が、軌条車両の進行方向に対して交差する方向に並べて配置されていること、
を特徴とする軌条車両用換気装置。
【発明の詳細な説明】
【技術分野】
【０００１】
本発明は、軌条車両用換気装置に関する。
【背景技術】
【０００２】
鉄道車両のような軌条車両、特に高速車両は気密性の高い車両構体を有するため、一般的に車内の換気は自然換気ではなく強制換気を行っている。このような軌条車両においては、車外の新鮮空気を車内に取り入れる給気ファンと、車内の汚染空気を車外に排出する排気ファンとを備えた換気装置を車両床下に配設しており、かかる換気装置によって強制換気を実現している。【０００３】
ところで、車外の空気が常にクリーンであるとは限らず、例えば塵埃の多い区間を車両が通過する場合もある。そこで、給気ファンの換気装置の開口（新鮮空気取り入れ口）部には例えば不織布製のプレフィルタが設けられ、これにより外気から塵埃を集塵し、清浄空気を車内に給気している。【０００４】
このプレフィルタは使用時間が長くなるにつれて塵埃が蓄積され汚染が進行するため、一定周期で清掃が必要になるが、塵埃が織目に固着すると、その排除には一定の手間がかかる。特に汚染の度合いによってはプレフィルタの清浄が困難となって再使用できないため、交換を余儀なくされるケースもある。比較的高価なプレフィルタの交換の頻度が高まれば、メンテナンスコストを増大させる恐れがある。【０００５】
また、不織布を用いることから、プレフィルタの集塵性能が布の織目に依存するという問題がある。例えば広目の不織布を使用すると、目詰まりは生じにくい一方で集塵性能が十分でない。これに対し、車内空気の清浄性を向上するために高い集塵性能を得ようとすべく細目の不織布を使用すると、それにより招来される高圧力損失を克服するために、給気ファンの送風性能を高める必要が生じ、コスト高を招く恐れがある。また、より高い集塵性能を求める場合にはプレフィルタの目詰まりも激しくなり、それにより清掃頻度が高まってメンテナンスコストを増大させる恐れがある。【０００６】
このような理由から、プレフィルタの代替としてサイクロン式の集塵装置の搭載が提案されている。サイクロン式の集塵装置は、円筒形の風路内に旋回流を生じさせることで塵埃に遠心力を与えて清浄空気から分離するという作用を有するため、プレフィルタを設ける場合に比べ、風路の目詰まりが抑制され、また清掃性が向上するという利点がある。特許文献１には、サイクロン式の集塵装置を車両の床下に設置する例が記載されている。
【先行技術文献】
【特許文献】
【０００７】
【特許文献１】特開２０１５−１９２９８２号公報
【発明の概要】
【発明が解決しようとする課題】
【０００８】
特許文献１に開示されたサイクロン式の集塵装置を設けることにより、上述したようなプレフィルタによる課題を解消することが期待される。しかしながら特許文献１の技術では、サイクロン式の集塵装置が換気装置から別置されていることから、装置全体の設置スペースを大きく確保する必要がある。特に近年は、機器を床下に高密度配置する車両設計が推進されているが、従来のサイクロン式の集塵装置は比較的大型である故に、このような車両設計に適さないとされている。【０００９】
また、サイクロン式の集塵装置において集塵する円筒部（サイクロン筒体）は導入管である排気管を介して換気装置に付設されているが、給気ファンに偏心して風が流れることになり、それにより集塵性能および送風性能が抑制される恐れや、圧力損失の増大を招く恐れがある。また、サイクロン筒体の位置が近隣装置に近いために、その給気口も近隣装置に近くなる。そのため、給気管の曲り等がきつくなり給気性能が低下する恐れがある。更に、サイクロン筒体が比較的大きい直径を有することから、同一風速時の遠心力が低下して集塵性能が低くなる恐れもある。【００１０】
本発明の目的は、圧力損失を抑制して集塵効率を確保し、装置の設置スペースを抑制できる集塵装置を備えた軌条車両用換気装置を提供することである。
【課題を解決するための手段】
【００１１】
上記課題を解決するために、代表的な本発明の軌条車両用換気装置の一つは、車両の空気を入れ替える換気装置と、前記換気装置に併設される集塵装置と、を有する軌条車両用換気装置であって、前記集塵装置は、筺体と、前記筺体の内部に備えられるサイクロン筒体と、を有しており、前記換気装置は、前記サイクロン筒体を通過した車外の新鮮空気を前記車両に供給する給気用送風機を有しており、前記筺体は、前記サイクロン筒体に取り込まれる新鮮空気が通過する金網と、前記金網に接続する背板と、を有しており、前記集塵装置は、前記背板が前記換気装置の内部に位置するように前記換気装置に接続されることにより達成される。
【発明の効果】
【００１２】
本発明によれば、圧力損失を抑制し、集塵効率を確保し、設置スペースを抑制できる集塵装置を備えた軌条車両用換気装置を提供できる。
上記した以外の課題、構成及び効果は、以下の実施形態の説明により明らかにされる。
【図面の簡単な説明】
【００１３】
【図１】図１は、本実施形態にかかる換気装置を車両へ取り付けた状態と共に、換気される新鮮空気および排気空気の流れを示す換気空気系統図である。
【図２】図２は、本実施形態にかかる集塵装置を備える換気装置の斜視図である。
【図３】図３は、本実施形態にかかる集塵装置を備える換気装置の車両長手方向に交差する面による部分断面図である。
【図４】図４は、本実施形態にかかる集塵装置を備える換気装置の車両長手方向に沿う垂直面による断面図である。
【図５】図５は、本実施形態にかかる換気装置に併設される集塵装置が分離した塵埃を回収する手順を示す模式図である。
【図６】図６は、本実施形態にかかる換気装置に併設される集塵装置の一部の分解図である。
【図７】図７は、本実施形態にかかる換気装置に併設される集塵装置の他の実施形態の斜視図である。
【図８】図８は、本実施形態にかかる換気装置の他の実施形態における車両床下の断面図である。
【図９】図９は、従来の換気装置の一例を示す斜視図である。
【発明を実施するための形態】
【００１４】
以下、図１から図７までを用いて第１の実施形態を説明する。まず、各方向を定義する。車両１００の長手（レール）方向に沿う方向をＸ方向、車両１００の幅（枕木）方向に沿う方向をＹ方向、車両１００の高さ方向をＺ方向とする。以下、単にＸ方向、Ｙ方向、Ｚ方向と記す場合がある。
【００１５】
軌条車両は、敷設される軌道に沿って運行される車両であり、鉄道車両、モノレール車両、路面電車、新交通車両等を含む。軌条車両の代表例として、鉄道車両を取り上げて本発明の実施の形態を説明する。本発明は、高速の軌条車両に限らず、全ての軌条車両に適用可能である。
【００１６】
図１は、本実施形態にかかる換気装置を鉄道車両へ取り付けた状態と共に、換気される新鮮空気および排気空気の流れを模式的に示す換気空気系統図である。車両１００を高速で走行させると、トンネル通過時等に車外圧力が大きく変動する。そのような場合であっても車内圧力が大きく変動して乗客等が聴覚に不快感を覚えないように、車両１００は気密性の高い車両構体より構成される。
【００１７】
さらに、車両１００が気密性の高い車両構体を有する場合、車内換気が重要となるので、車両１００は床下に強制的に車内外の空気を換気する換気装置１０１と、空調装置１０２を、床板６３０の下方に備える。換気装置１０１は車外の空気（新鮮空気）を車内へ供給する給気用送風機と、車内の排気空気を車外へ排出する排気用送風機を備える。一般に、高速で走行する車両１００は、その重心を下げるために、換気装置１０１および空調装置１０２を車両１００の床下に搭載している。
【００１８】
換気装置１０１は、車外から取り込んだ新鮮空気１１１を空調装置１０２へ供給するとともに、車内の排気空気１１３を車外へ排出して、車両１００を強制的に換気する。空調装置１０２は、換気装置１０１から供給される新鮮空気１１１と、車内からの再循環空気１１５とを混合した混合空気の温湿度を調整して、調和空気１１２を生成して車内へ供給する。
【００１９】
本実施形態において、換気装置１０１の新鮮気取入口に集塵装置１０３（図２参照）を備えている。集塵装置１０３は、車外から取り込んだ新鮮空気１１１に大気中の塵埃や軌道上に舞い落ちた枯葉等が混入していた場合、これらを取り除く機能を有する。
【００２０】
図２は、本実施形態にかかる集塵装置を備える換気装置の斜視図であり、図３は、本実施形態にかかる換気装置の集塵装置を、車両長手方向に直交する垂直面に沿って切断した部分断面図である。図４は、本実施形態にかかる集塵装置を備える換気装置の車両長手方向に沿う垂直面による断面図である。
【００２１】
車外の空気中に含まれる塵埃等を取り除く集塵装置１０３を併設した換気装置１０１は、その筺体に備えられる吊り具１０５（図３）を利用して、車両１００の床下に固定される。換気装置１０１は、新鮮空気を取り入れる新鮮空気取り入れ口（図示なし）と、取り入れた新鮮空気を吐出す新鮮空気吐出し口４００と、車内の排気空気を取り入れる排気空気取り入れ口４０１と、取り入れた排気空気を吐出す排気空気吐出し口（図示なし）を備える。
【００２２】
新鮮空気吐出し口４００は、車両１００が備える新鮮空気ダクトに接続されて、空調装置１０２に新鮮空気を供給する流路の起点となる。排気空気取り入れ口は、車両１００が備える排気ダクトに接続される。車両１００が備える排気ダクトは、車両１００の各部から排気空気を換気装置１０１へ導く。
【００２３】
換気装置１０１の新鮮空気取り入れ口の上流側には、新鮮空気１１１に含まれる塵埃や落ち葉等を取り除いて、清浄度を高めた新鮮空気を確保する集塵装置１０３が備えらえる。集塵装置１０３は、換気装置１０１のＸ方向における一方の端に片持ちの態様で設置され換気装置１０１に一体に固定される。
【００２４】
集塵装置１０３は、金網２００と、金網２００に接続する背板３４０（図４）などから構成される直方体状の筺体と、取り込んだ新鮮空気を旋回流にする略円筒形状の３本のサイクロン筒体３００と、サイクロン筒体３００の下方に備えられるとともにサイクロン筒体３００で集塵した塵埃等を一時的に蓄える集塵箱２２０と、サイクロン筒体３００の上方で塵埃等を分離して清浄度を高めた新鮮空気を集める帽子状流路２１０と、を備える。なお、サイクロン筒体３００の本数は任意であり、ここでは図３に示すように、Ｚ方向に沿って立設された３本のサイクロン筒体３００を備える一例を示す。集塵箱２２０は、集塵装置１０３に対してボルトまたは掛け金等により脱着可能に取り付けられている。
【００２５】
集塵装置１０３の筺体は、その垂直側面４面のうち３面（Ｘ方向の一方の面およびＹ方向の両面）に金網２００を備えており、残りの１面には背板３４０を備える。筺体の３面に金網２００を備えるので、集塵装置１０３はＸ方向（１１１ａ)およびＹ方向（１１１ｂ、１１１ｃ）から金網２００を通過した新鮮空気を筺体の内部に導入できる。
【００２６】
サイクロン筒体３００は、図４に示すように、鉛直方向に軸を有するサイクロン内筒３２３と、同様に鉛直方向に軸を有するとともにサイクロン内筒３２３を内包するサイクロン外筒３２０から構成される。第１給気口３１０および第２給気口３１１は、サイクロン外筒３２０とサイクロン内筒３２３で構成される流路に接続される。
【００２７】
金網２００を通過して集塵装置１０３内に流入した新鮮空気は、サイクロン筒体３００にＸ方向に沿って備えられる第１給気口３１０と第２給気口３１１からサイクロン筒体３００の内部に流入する。第１給気口３１０および第２給気口３１１は、円筒形状のサイクロン筒体３００の水平断面のＸ方向に沿う接線方向に新鮮空気を導くため、サイクロン筒体３００内部に流入した新鮮空気は旋回流３３０（図３）となる。金網２００の目の寸法は第１給気口３１０、第２給気口３１１の寸法より少し小さく設定されており、比較的大きな落ち葉や羽毛等のサイズの大きい異物がサイクロン筒体３００に吸い込まれることを抑制する。
【００２８】
サイクロン筒体３００に流入してサイクロン外筒３２０の内側面に沿って旋回する新鮮空気が、サイクロン外筒３２０とサイクロン内筒３２３との間の流路を通過する過程で、新鮮空気に含まれる塵埃や落ち葉等の異物は、遠心力でサイクロン外筒３２０の内壁面に押し付けられて新鮮空気から異物として分離される。分離された異物は、サイクロン外筒３２０の内壁面に沿って下方に落下した後、サイクロン筒体３００の下方に備えられる集塵箱２２０に蓄えられる。
【００２９】
異物が取り除かれて清浄度を高めた新鮮空気は、旋回しながらサイクロン外筒３２０の下端部まで降下した後、サイクロン内筒３２３の内側を通ってＺ方向に上昇する。サイクロン内筒３２３の上端部に至った新鮮空気は、開口部３２２を介して複数のサイクロン筒体３００の上端部を共通に包含する帽子状流路２１０に集約されて、換気装置１０１の筺体の内部に構成される給気用送風機前室５１１を通過して、給気用送風機吸込み口５１２から給気用送風機５１０に吸い込まれる。
【００３０】
その後、給気用送風機５１０によって静圧を高められた新鮮空気は、新鮮空気吐出し口４００から新鮮空気ダクト（図示なし）を経由して空調装置１０２へ供給される。給気用送風機５１０および排気用送風機５２０は、共通の電動機５００によって駆動される。
【００３１】
１本のサイクロン筒体３００に２か所の第一給気口３１０および第二給気口３１１を備えることによって、１ヶ所の給気口から新鮮空気を吸い込む場合に比較して、給気面積を大きくできる。又、複数の給気口から流速の小さい新鮮空気を吸い込むので、給気効率を高めてサイクロン筒体３００への流入損失（抵抗）を小さくできる。さらに、サイクロン筒体３００への流入損失が小さくできるので、サイクロン筒体３００の第１給気口３１０（第２給気口３１１）で生じる流体騒音を抑制できる。
【００３２】
集塵箱２２０は、図３に示すように、サイクロン筒体３００の本数に応じて、仕切り板２２１によって区画される区画室２２２を有する。集塵箱２２０の内部において、多くの塵埃を含む旋回流３３０が渦巻いているが、複数の区画室２２２を備えることによって区画室２２２の隅部（角部）を通過する旋回流３３０の流速を小さくできる。このため、流速が低下した旋回流３３０からより多くの塵埃を区画室２２２に捕捉することができるため、集塵効率を高めることができる。さらに、区画室２２２の隅部（角部）は旋回流３３０の流速が小さいため、いったん捕捉された塵埃等が再び旋回流３３０に取り込まれて換気装置１０１へ送られることを抑制できる。
【００３３】
図４において、Ｘ方向に沿う換気装置１０１の寸法をＡ、同様に、換気装置１０１に併設されてＸ方向に突出した態様の集塵装置１０３の突出寸法をＢとすると、寸法Ａを寸法Ｂの５〜７倍に設定することによって、集塵装置１０３の集塵性能を確保しながらも、集塵装置１０３を併設する換気装置１０１の小型化を図れるから、効率的に車両１００の床下に設置できる。
【００３４】
集塵装置１０３のＹ方向の幅寸法をＥ（図２）とすると、寸法Ｅを寸法Ｂの２〜４倍に設定することによって、集塵効率を維持するために必要となるサイクロン筒体の設置スペースを確保することができる。
【００３５】
集塵装置１０３は、図４に示すように、その筺体の一部をなす背板３４０が換気装置１０１の端面より給気用送風機５１０に近づくよう内部に入り込んだ態様で、換気装置１０１に固定される。背板３４０は、給気用送風機吸込み口５１２からＸ方向に寸法Ｄ離れた位置に置かれ、集塵装置１０３が備える帽子状流路２１０の出口から給気用送風機吸込み口５１２に至る給気用送風機前室５１１の壁の一部を構成する。この構成によって、集塵装置１０３が固定された換気装置１０１全体のＸ方向の寸法（Ａ＋Ｂ）を小さくすることができるので、車両１００の床下機器の設置スペースを小さくできる。
【００３６】
第２給気口３１１と背板３４０との間のＸ方向寸法をＣとし、背板３４０と給気用送風機吸込み口５１２との間のＸ方向寸法をＤとすると、寸法Ｃを寸法Ｄの２〜４倍に設定することによって、第２給気口３１１の吸入損失および給気用送風機前室５１１の圧力損失の増大を抑制できる。
【００３７】
図５は、本実施形態の換気装置に併設される集塵装置が分離した塵埃を回収する手順を模式的に示す図である。集塵箱２２０に溜まった塵埃等は、車両１００の定期点検時に集塵箱２２０から取り出されて廃棄される。
【００３８】
以下に、集塵装置１０３が集塵した塵埃等を廃棄する手順を記す。まず、検修庫等に停車した車両１００の床下から集塵装置１０３の下方に位置する下塞ぎ板６００を取り外す。下塞ぎ板６００は、換気装置１０１と換気装置１０１に隣接する機器（例えば、主変換装置６１０）に跨って敷設されるものである。
【００３９】
下塞ぎ板６００を取り外す具体的な手順は、換気装置１０１および主変換装置６１０の下端部の受け部６２０に固定するボルト（図示なし）を外した後、一度、下塞ぎ板６００のＸ方向端部を上方に跳ね上げてから斜め下方にスライドして引き出す。これにより形成される開口部ＯＰを通して集塵箱２２０が露出する。そこで、集塵装置１０３に固定するボルトまたは掛け金等を外して、開口部ＯＰより集塵箱２２０を車両１００の下方に取り出した後、集塵箱２２０から塵埃等を所定の場所に廃棄する。集塵箱２２０を取り外すことで集塵装置１０３に内蔵されるサイクロン筒体３００（図４参照）の下端が露出するので、ここからサイクロン筒体３００の洗浄を行っても良い。
【００４０】
図６は、本実施形態の換気装置に併設される集塵装置の一部を示す分解図である。集塵装置１０３に内蔵されるサイクロン筒体３００は、Ｙ方向に沿ってサイクロン筒体３００の上端部が固定されるとともにサイクロン筒体３００から帽子状流路２１０に導かれる新鮮空気が通過する３つの貫通孔２４１を有する上板２４０と、Ｙ方向に沿ってサイクロン筒体３００の下端部の集塵口３２１の周縁部が固定されるとともにサイクロン筒体３００で分離された塵埃等が通過する３つの貫通孔２５１とを有する下板２５０と、に支持される。
【００４１】
サイクロン内筒３２３の上端内径と、上板２４０の貫通孔２４１の内径はほぼ同寸法である。サイクロン筒体３００の上端部と上板２４０とは着脱可能な機械的締結部（たとえばねじ止め）２４２で締結され、同様に、サイクロン筒体３００の下端部と下板２５０とは着脱可能な機械的締結部（たとえばねじ止め）２５２で締結される。
【００４２】
複数のサイクロン筒体３００および上板２４０および下板２５０から構成されるサイクロンユニットの幅方向寸法Ｙ１と高さ方向寸法Ｚ１は、背板３４０に対向して配置される金網２００のＹ方向寸法およびＺ方向寸法（図２参照）より小さく設定されている。このため、集塵装置１０３が換気装置１０１に固定されている状態で、背板３４０に対向する金網２００を取り外せば（図３参照）、サイクロンユニットの一式をＸ方向に抜き出し後、車両１００の下方へ引き出すことができる。
【００４３】
これにより、個別にサイクロン筒体３００を分解洗浄することができるとともに、目視点検等を行うことができ、それにより異常が発見されたサイクロン筒体３００のみを交換することもできる。また、サイクロン筒体３００（３個）を同一形状にすれば、部品共通化を図れるため低コストでサイクロン筒体３００を入手し交換することができる。
【００４４】
表１に、本実施形態にかかるサイクロン筒体３００の集塵性能を検証した実験結果を示す。営業路線で供された換気装置の新鮮空気吸込み口に備えたプレフィルタが補足した異物等を参考にして、車両１００が営業路線を走行した時に集塵装置１０３が捕捉するであろう４種類の異物を想定して、集塵性能を検証した。
【００４５】
【表１】
2020184010.tif 000003
【００４６】
ここで、換気装置１０１は、高速走行時の車外圧力変動による換気装置１０１の給気用送風機５１０の給気量と排気用送風機５２０の排気量の差が小さくなるように、給気用送風機５１０および排気用送風機５２０を駆動する電動機５００の回転数を大きくして、大きな風量と高い静圧を得る。一方、停車時を含む低速走行時には消費電力を小さくするために、電動機５００の回転数を小さくして、小さな風量を得る。このため、集塵装置１０３の風量を、風量大と風量小の２種類で評価した。
【００４７】
また、異物は、けい砂、鉄粉（数十から数百μｍの粉体）で、羽毛、枯葉（数ｍｍに裁断したもの）の４種類とし、集塵効率を集塵装置１０３に吸引する前の重量と、集塵装置１０３で分離して集塵箱２２０で回収したこれらの重量の比と定義して、これらの異物毎の集塵装置１０３の集塵性能を評価した。すなわち、表１にて集塵効率９９％とは、重量比で９９％の異物が集塵され、残り１％の異物が気体に混入していることを意味する。表１に示すように、全ての異物に対して高い集塵効率が確認され、集塵装置１０３は十分な集塵性能を有することが確認された。
【００４８】
図７は、本実施形態の換気装置に併設される集塵装置の他の例を示す斜視図であり、金網を取り外した状態で示している。車両１００が走行する線区の環境によっては、多くのけい砂を含む塵埃が回収される場合もある。このように、路線の環境に合わせて、サイクロン筒体３００の本数を変更して、塵埃の組成に応じて集塵装置１０３の集塵性能を調整することができる。例えば、集塵装置１０３の圧力損失の増大を許容しつつ、より高い集塵性能を得たい場合（数μｍ未満の極小粉体まで集塵する場合など）、サイクロン筒体３００の外径を小さくして、同一風量時により大きな旋回力（分離力）を発生するように調整することができる。
【００４９】
このような場合は、より高い集塵性能を確保するとともに所定の換気風量を維持するために、集塵装置１０３の体積および重量が多少大きくなるが、例えばサイクロン筒体の本数を１０本にすることで対応する。この例では、図７に示すように、Ｙ方向に沿って５本の小径のサイクロン筒体８００をＸ方向に２列配設している。例えサイクロン筒体の本数が増減しても、対応する帽子状流路２１０および集塵箱２２０の構成を用いることで、保守性を確保し、塵埃の再取り込み等を抑制しながら、所定の換気量を維持しつつ、より高い集塵性能を有する集塵装置１０３を構成することができる。
【００５０】
図８は、本実施形態の換気装置の他の実施形態を、車両床下に配置した状態を示す断面図である。上述した実施形態では、図５を参照して、集塵箱２２０を車両１００の下方に引き出せる構成を説明した。本実施形態では、集塵箱２２０をＹ方向に引き出すことができる。その手順を以下に説明する。
【００５１】
車両１００の床板６３０の下方には、集塵装置１０３を有する換気装置１０１、空調装置１０２（図１参照）、または補助電源原装置等の床下機器９００が備えられる。車両１００は、床板６３０のＹ方向の両端部から下方に延伸する側スカート９１０を備えている。一方の側スカート９１０の下端部から他方の側スカート９１０の下端部に渡って、下塞ぎ板６００が備えられている。後述する集塵トレー９２１を引き出す位置に備えられる側スカート９１０は、掛け金等で開閉可能（着脱可能）な蓋部９１１を備える。
【００５２】
換気装置１０１は、サイクロン筒体３００（図３参照）の下方に備わる集塵箱部２２０ａと、集塵を溜める集塵トレー９２１と、集塵トレー９２１を支持する底板９２０と、を有する。底板９２０は、そのＹ方向の一方の端部（車両１００のＹ方向の中央寄り）を蝶番（ヒンジ）９３１で固定するとともに、そのＹ方向の他方の端部に着脱可能な掛け金９３０を備える。掛け金９３０を外せば、底板９２０は、Ｙ−Ｚ平面内で蝶番９３１を支点に回動できるので、底板９２０に載置される集塵トレー９２１をＹ方向に引き出せる。
【００５３】
以下に、集塵した塵埃等を廃棄する手順を記す。車両１００が点検等で検修庫等へ入庫した際に、側スカート９１０に備えられる蓋部９１１の掛け金を外して、蓋部９１１を開ける。その後、集塵装置１０３の下部の掛け金９３０を外して、点線で示すように底板９２０を、蝶番９３１を枢支点として下方へ回動した後、底板９２０に支持される集塵トレー９２１を蓋部９１１から車両１００の外へ取り出して集塵等を廃棄する。
【００５４】
この構成によれば、集塵等を廃棄するために車両１００の下塞ぎ板６００を取り外す必要がないため、集塵の廃棄作業に係わる工数を小さくできるので、メンテナンスコストを抑制することができる。
【００５５】
図９は、従来の換気装置の一例を参考的に示す図である。従来の換気装置１０１は、換気装置１０１のＸ方向の一方の面（換気装置前面１２０）に新鮮空気を取り入れる給気口を備えており、この給気口に、本実施形態の集塵装置１０３の代わりに不織布等からなるプレフィルタ１２１を備えている。それ以外の構成は、本実施形態と同様である。
【００５６】
図９の換気装置においては、プレフィルタ１２１が捕捉する塵埃等の量が増えるに従い、給気口の面積が小さくなり、結果的に給気量が減少する懸念があった。このため、季節によっては、プレフィルタ１２１の点検、交換頻度を高める必要があった。
【００５７】
これに対し、上述した本実施形態によれば、集塵装置１０３を有する換気装置１０１は、メンテナンスコストの上昇を抑制するとともに、圧力損失を抑制し、集塵効率を確保し、装置の設置スペースを抑制できる軌条車両用換気装置を提供することができる。
【００５８】
なお、本発明は上記した実施の形態に限定されるものではなく、様々な変形例が含まれる。例えば、上記した実施の形態は本発明を分かりやすく説明するために詳細に説明したものであり、必ずしも説明した全ての構成を備えるものに限定されるものではない。また、ある実施の形態における構成の一部を他の実施の形態の構成に置き換えることが可能であり、また、ある実施の形態の構成に他の実施の形態の構成を加えることも可能である。また、各実施の形態における構成の一部について、他の構成の追加・削除・置換をすることも可能である。
【符号の説明】
【００５９】
１００：車両、                  １０１：換気装置、
１０２：空調装置、              １０３：集塵装置、
１０５：吊り具、                １１１：新鮮空気、
１１２：調和空気、              １１３：車内の排気空気、
１１４：排気空気、              １１５：再循環空気、
１２０：換気装置前面、          １２１：プレフィルタ、
２００：金網、                  ２１０：帽子状流路、
２２０：集塵箱、                ２２０ａ：集塵箱部、
２２１：仕切り板、              ２２２：区画室、
２４０：上板、                  ２４１：貫通孔、
２４２：機械的締結部、          ２５０：下板、
２５１：貫通孔、                ２５２：機械的締結部、
３００：サイクロン筒体、        ３１０：第１給気口、
３１１：第２給気口、            ３２０：サイクロン外筒、
３２１：集塵口、
３２３：サイクロン内筒、        ３３０：旋回流、
３４０：背板、                  ４００：新鮮空気吐出し口、
４０１：排気空気取り入れ口、    ５００：電動機、
５１０：給気用送風機、          ５１１：給気用送風機前室、
５１２：給気用送風機吸込み口、  ５２０：排気用送風機、
６００：下塞ぎ板、              ６１０：主変換装置、
６２０：受け部、                ６３０：床板、
８００：小径のサイクロン筒体、  ９００：床下機器、
９１０：側スカート、            ９１１：蓋部、
９２０：底板、                  ９２１：集塵トレー、
９３０：掛け金、                ９３１：蝶番（ヒンジ）
【図１】
2020184010.tif 000004
【図２】
2020184010.tif 000005
【図３】
2020184010.tif 000006
【図４】
2020184010.tif 000007
【図５】
2020184010.tif 000008
【図６】
2020184010.tif 000009
【図７】
2020184010.tif 000010
【図８】
2020184010.tif 000011
【図９】
2020184010.tif 000012
【国際調査報告】
2020184010.tif 000013
2020184010.tif 000014
2020184010.tif 000015
2020184010.tif 000016